(57)【要約】【課題】急な降雨でも洗濯物が濡れることがなく、かつ通常はコンパクトであるが、洗濯物を干す際には、スペースが十分に確保できる、スライド移動自在である全天候型の物干しボックスを提供すること。【解決手段】遮蔽天井202と遮蔽壁204を有し、スライド移動自在な筐体と、その内部に筐体の伸縮に合わせて伸縮する物干し竿を具備する物干しボックス100とする。筐体は、外部に固定される固定ユニット210とスライド移動する複数の移動ユニット220（最端の移動ユニットは、端移動ユニット230）から構成される。移動ユニットは、筐体を縮めると固定ユニットに収納される。端移動ユニットの側面232は扉であり、移動ユニットをスライド移動させるための押し引きハンドル236を具備する。物干し竿には、ピンチハンガーなどを吊るす洗濯物取り付け機構を持つ複数のフック保持具が、自動的に均等間隔を維持するように取り付けられている。【選択図】図１
2008110230.tif 000002
【特許請求の範囲】
【請求項１】
縦枠と横枠とから少なくとも構成されてなる複数の筺体が段々と内側へ重なりあって収納する複数の移動ユニットと、
各移動ユニットの底部における両端部に横枠に縦方向に並べて取り付けられたキャスターとからなり、
当該移動ユニットの縦枠の幅方向の寸法が収納方向において隣り合う移動ユニットの縦枠の幅方向の寸法より大きく、
かつ当該移動ユニットの横枠の縦方向の地面からの寸法が収納方向において隣り合う移動ユニットの横枠の縦方向の地面からの寸法より低いことを特徴とする物干しボックス。
【請求項２】
前記移動ユニットの底部または側面のいずれか若しくは両方に直線走行ガイドを設けた請求項１記載の物干しボックス。
【発明の詳細な説明】
【技術分野】
【０００１】
本発明は、全天候型の物干しである物干しボックスに関し、更に詳細には、該物干しボックス自体を伸縮するための伸縮手段を有する物干しボックスに関する。
【背景技術】
【０００２】
洗濯物を屋外で干すにあたって、急な天候の変化があった場合でも、洗濯物を雨で濡らさないようにする全天候型の物干し手段は既に様々提案されている。大きく分けると、洗濯物を吊るすハンガーなどを工夫して、個々の洗濯物を濡らさないようにする手段と、物干しを含む洗濯物干し場全体を工夫して、全部の洗濯物を濡らさないようにする手段がある。一般に、前者の手段よりも後者の手段のほうが大掛かりな手段になってしまうが、毎回の干す作業のことを考えると、一旦後者の手段を採用すると、後々の面倒が少ないという利点がある。後者の手段としては、例えば特許文献１〜４などの手段が提案されている。
【特許文献１】特開２００４−１６５３１号公報
【特許文献２】特開２００４−１０５２２３号公報
【特許文献３】特開平１０−１９２５９１号公報
【特許文献４】特開平２００３−３４０１９４号公報
【０００３】
特許文献１では、物干し竿に掛けられた洗濯物を物干し竿ごと覆う洗濯物覆い用カバーに関する技術である。特許文献２は物干しエリアを開閉可能に囲むカーテンを備えた物干し装置に関する技術である。特許文献３は、雨感知手段と該手段によって自動的に天幕体を展伸させる雨濡れ防止装置の手段である。
しかし、特許文献１のカバーを掛けたり、特許文献２のカーテンを閉めたりすると、洗濯物の乾燥効率が悪くなるので、天気のいいときには、カバーやカーテンをしないで洗濯物を干すことになるが、そうすると急な降雨時に、洗濯物のそばにいないと対応できない。また特許文献３の技術は電動のため、耐候性に問題があり、また念入りな防水、漏電対策を行わない限り、十分な安全は保証されない。また運転コストも高くつく。
【０００４】
電動の作動装置を持たず、急な降雨に対応するためには、常設の物干しボックスとすることが考えられる。特許文献４は雨戸のように窓に取り付けることのできる水平移動可能な物干しボックスに関する技術である。このような常設の物干しボックスであれば、電気配線を使用することなく急な降雨に対応できる。しかし特許文献４のような窓に取り付ける物干しボックスでは、同居人の人数などによっては、洗濯物を干すスペースが十分でないこともある。
【発明の開示】
【発明が解決しようとする課題】
【０００５】
物干しエリアを全天候型にするには、当該エリアを外界と遮断する仕組みが必要であるが、特許文献４のような技術を応用して、物干しエリアに全天候型物干しボックスのためのスペースを設けるとすると、風通しの良い室内を物干しエリアとするのと変わりがなく、居住スペースを有効活用できない。
そこで、本発明では、急な降雨でも洗濯物が濡れることがなく、かつ通常はコンパクトであるが、洗濯物を干す際には、スペースが十分に確保できる、スライド移動自在である全天候型の物干しボックスを提供することを目的とする。
【課題を解決するための手段】
【０００６】
上記課題を解決するため、本発明では、
少なくとも、遮蔽天井と遮蔽壁を有し、外部構造体に固定される固定ユニットとスライド移動自在な一または複数の移動ユニットで構成される筺体と、
前記固定ユニットを、外部の床面または壁面に固定する固定手段と、
前記移動ユニットをスライド移動自在にさせるスライド手段と、
前記筺体内部に配され、伸縮自在な物干し竿と、
前記物干し竿が貫通できる竿用孔、洗濯物取り付け機構及び位置決め固定部位を有する複数のフック保持具と、
前記各フック保持具を連結し、前記筺体を完全に伸ばした際に前記フック保持具を略均等位置に配置する位置決め手段とを含み、
前記筺体の少なくとも遮蔽天井は、透明な領域を含み、
前記固定ユニットは、筐体伸縮方向に対して面し、かつ前記移動ユニットが配される反対側に側面遮断壁を有し、
前記固定ユニットから最も遠い位置の前記移動ユニットである端移動ユニットは、筐体伸縮方向に対して面し、前記固定ユニットが配される反対側に側面遮断壁を有し、
前記移動ユニットが複数の場合、前記端移動ユニットを除く前記移動ユニットは、筐体伸縮方向に対して面する側面遮断壁がなく、
前記端移動ユニットの側面遮断壁は、押し引きハンドルを具備し、
前記固定ユニットと前記端移動ユニットの側面遮断壁のいずれかまたはいずれもが扉であって、
前記移動ユニットは、前記固定ユニットの内側に、前記固定ユニットと近い側の移動ユニットから段々と内側へ重なりあって収納することができ、
前記物干し竿は、移動ユニットのスライド移動に連動して自身もスライド伸縮するものであり、
前記フック保持具は、前記竿用孔によって、前記物干し竿に沿ってスライド移動自在に係合されており、かつ前記位置決め固定部位で、前記位置決め手段と係合されていることを最も主要な特徴とする。
【発明の効果】
【０００７】
本発明の物干しボックスは、全天候型でありつつ、物干しエリアに設置することができるので、洗濯物を干すスペースが十分に確保できる。その一方、物干しボックスを使用しないときは全体を縮めることができるので、スペースの有効活用ができる。
【０００８】
また本発明の物干しボックスでは、全体が筐体で覆われているので突風が吹いても洗濯物が飛ばされる心配もない。
【０００９】
また洗濯物を干すにあたって物干しボックスを縮めた状態で、ハンガーに吊るす作業を行うと、該作業を手の届く範囲で行うことができるので、場所を移動しながら洗濯物を吊るす面倒がない。
【００１０】
また、物干しボックスの筐体について、少なくとも遮蔽天井の領域を透明なポリカーボネート樹脂を具備する建具で構成すると、温室効果によって物干し内部の温度が上昇するとともに、側面遮断壁の通風孔、奥行き方向に対する面である遮蔽壁の多数の小孔或いは底部などから換気もなされるので、洗濯物を早く乾かすことができる。
【発明を実施するための最良の形態】
【００１１】
以下、本発明を図面により、更に詳細に説明する。但し本発明は、これら図面の様態に限定されるものではない。
【００１２】
（物干しボックスの基本構成）
図１及び図２は、本発明の物干しボックス１００の外観全体像を示す図である。図１は物干しボックス１００を伸ばした状態を示す斜視図、図２は物干しボックス１００を縮めた状態の伸縮方向側面図である。本発明の物干しボックス１００の基本構成は、筐体２００、固定手段３００、スライド手段４１０，４２０，４２２、物干し竿５００、フック保持具６００及び位置決め手段７００である。ただし前記以外の構成物を排除するものでない。
【００１３】
（筐体）
筐体２００は、図２に示したように遮蔽天井２０２と遮蔽壁２０４を有する。筐体２００の底部に床を設けても良いが、後述のとおり、むしろ設けないほうが好ましい場合もある。筐体２００に用いる材料は、物干しボックス１００の構造を維持できる強度を持ち、耐候性を有する材料が好ましい。日光の光や熱によって、洗濯物を干すという目的から、少なくとも一部、特に遮蔽天井２０２が透明の領域を含んでいることが必要である。具体的には、ステンレスなど、錆びにくくかつ強度のある金属製の枠体に、板状の透明材料をはめ込んだ建具などが好ましい。強度や安全性などで問題がなければ、前記金属製枠体を用いることなくで、板状の透明材料のみからなる建具を使用することもできる。なお、板状とは、平面板状だけでなく、曲がっている板状も含まれる。
本発明の物干しボックス１００は、伸縮自在にする必要性から、板状の透明材料としては、割れやすいガラスはあまり適当ではなく、合成樹脂性の透明材料が好ましい。中でも強度的に優れ、耐候性に優れるポリカーボネートが好ましい。
【００１４】
筐体２００は、遮蔽天井２０２だけでなく、その全体を、透明なポリカーボネート樹脂の板状体がステンレスなどの枠体にはめ込まれた建具などにより構成して、日光を十分取り入れることもできる。
また遮蔽天井２０２は、日光を十分に取り込むために、曲がった板状のポリカーボネート樹脂を枠体にはめ込んだ建具などを用いて、ドーム状の天井とすることが好ましい。
なお、本発明の物干しボックス１００として、外部の壁８００などに固定し、また移動のための溝状レール８２０を取り付ける様態を選択した場合、前記外部の壁８００側からは日光の差し込みを期待しがたい。そこで、一方の側面（外部の壁８００に対向する側面）のみの遮蔽壁２０４を、内面側に鏡面加工した樹脂とすれば、天井や反対側側面から差し込んだ日光を十分活用できる。
【００１５】
（固定ユニット、移動ユニット）
また本発明の物干しボックス１００は、所定の方向にのみに伸縮自在とする。このため、図１及び図２に示したように、筐体２００は、外部構造体に固定される固定ユニット２１０と、スライド移動自在な移動ユニット２２０から構成される。移動ユニットのうち、最も固定ユニット２１０から遠い移動ユニットを端移動ユニット２３０とする。移動ユニット２２０は、１ユニット（すなわち、端移動ユニット２３０のみの場合）であっても複数ユニットであっても良い。図１，２では、移動ユニット２２０が４ユニットの場合を図示した。なお、特に明言ない限り、移動ユニット２２０には、端移動ユニット２３０を含み、端移動ユニット２３０には、その他の移動ユニット２２０を含まない。
なお所定の方向とは、一般的には直線的な方向であり、製造コスト面からも直線的に伸縮する物干しボックス１００が好ましく、以下でも直線的な所定方向にのみ伸縮する物干しボックス１００について説明するが、本発明の原理からは、曲率を一定する所定の円弧状・扇状方向にのみ伸縮する物干しボックス１００についても応用可能である。
【００１６】
図１と図２との差異から分かるように、各移動ユニット２２０は、スライド移動することによって、固定ユニット２１０の内側に、前記固定ユニット２１０と近い側の移動ユニット２２０から段々と内側へ重なりあって収納することができる。また物干しボックス１００を伸ばす際に、移動ユニット２２０が隣接するユニットから外れてスライド移動しないように、固定ユニット２１０及び移動ユニット２２０の側縁のうち、隣り合うユニットが存在する側縁は、物干しボックス１００を伸ばした状態で、隣り合うユニットの側縁同士が互いに係合できる形状にすることが好ましい。ただし、移動ユニット２２０が１ユニットの場合は、外部の溝状レール８２０などによって、移動ユニット２２０の移動最大距離を制限すれば、必ずしも側縁形状を係合形状にする必要はない。また。端移動ユニット２３０の側面遮断壁２１２には、押し引きハンドル２２６を設ける。
このような構成で、押し引きハンドル２３６を引いて、端移動ユニット２３０を固定ユニット２１０から遠ざかる方向へスライド移動させると、まず端移動ユニット２３０がスライド移動する。端移動ユニット２３０がユニット幅程度スライド移動すると、次に、端移動ユニット２３０の固定ユニット２１０側の側縁が、隣接する移動ユニット２２０の、端移動ユニット２３０の側縁と係合するので、当該移動ユニット２２０がスライド移動を始める。このように順次隣接する移動ユニット２２０が動き出し、物干しユニットが完全に伸びた状態になった時点は、固定ユニット２１０と隣接する移動ユニット２２０の固定ユニット２１０側の側縁が、固定ユニット２１０と係合するので動きが止まる。或いは外部の溝状レール８２０などによって、端移動ユニット２３０の移動最大距離を制限して動きを止めてもよい。
本発明の物干しボックス１００の上記のような使用方法から、隣接するユニットとの係合部分は、スライド移動時の衝撃を吸収できるように、ゴム材のようなクッション材を配することが好ましい。
【００１７】
図３は、奥行き方向（伸縮方向とは垂直の方向である。）を図面横方向としてみた固定ユニット２１０の側面図であり、図４は、奥行き方向を図面横方向としてみた（ただし図３の方向とは反対の方向からみている。）端移動ユニット２３０の側面図である。図１４は、図４とは別の様態の端移動ユニット２３０の奥行き方向を図面横方向としてみた側面図である。図１４中、点線で示した形状は、端移動ユニット２３０内部における枠体の様子を示したものである。
図３に示したように前記固定ユニット２１０は、伸縮方向対して面し、かつ移動ユニット２２０が配されている側とは反対側に側面遮断壁２１２を有する。一方、図４や図１４に示したように、端移動ユニット２３０は、伸縮方向対して面し、かつ前記固定ユニット２１０とは反対側に、側面遮断壁２３２を有する。これに対して前記移動ユニット２２０が複数の場合、前記端移動ユニット２３０を除く前記移動ユニット２２０には、伸縮方向対して面する側面遮断壁はない。すなわち筐体２００の伸縮方向に対する面としては、その両端に具備された、側面遮断壁２１２と側面遮断壁２３２のみを有する。
【００１８】
いずれの側面遮断壁２１２，２３２にも通風孔２１４，２３４を設けることが好ましい。これにより、洗濯物乾燥に十分な風通しが確保される。通風孔は、単なる孔とすることもできるが、該通風孔２１４，２３４に網戸や羽板（ガラリ）を取り付けることもできる。
一方、図１４の様態のように、側面遮断壁２３２が、通風孔を設けていない様態であってもよい。この場合、図２２に示したように、ユニット（固定ユニット２１０、移動ユニット２２０、端移動ユニット２３０）の奥行き方向に対する面である遮蔽壁に、多数の小孔を設けることで、雨の進入を極力防ぎつつ、風通しを確保することができる。前記小孔を穿つ方向は、遮蔽壁に対して垂直方向ばかりでなく、更に雨が入りにくくするために、内側に向かって上方を向くような角度とすることもできる。また後述のように各ユニットの底部を枠体のみで構成することによっても、風通しを確保できる。
【００１９】
図４及び図１４に示したように端移動ユニット２３０の側面遮断壁２３２は、物干しボックス１００の内部に入れるように扉とし、該扉を開くためのドアノブなどの取っ手２３８を設ける。ただし、側面遮断壁２３２に代えて、固定ユニット２１０の側面遮断壁２１２を扉としても良いし、両方を扉としてもよい。扉は、施錠できるものにすることができる。錠前としては、住宅用の錠前でも良いが、内部には洗濯物しかないことから、閂としても良い。本発明の物干しボックス１００では、縮めた状態で洗濯物を吊るし、その状態で物干しボックス１００を伸ばして洗濯物を乾燥させ、また縮めた状態で洗濯物を取り込むと、位置を移動することなく、洗濯物を吊るし、または取り込むことができ便利である。このような使用方法を鑑みると、筐体２００を伸ばした状態では、閂が下りるなどの方法で、施錠され、一方、前記筐体２００を完全に縮めた状態では、閂が外れるなどの方法で開錠されるものであることが好ましい。
【００２０】
図１５は、図１４の様態において、筐体２００の底部を示した斜視図である。固定ユニット２１０と移動ユニット２２０の底部は、ユニットごとに分割された床を設けても良いが、図１５のように、各ユニットの枠体のみで構成されることが好ましい。底部から外部の空気が流入し、洗濯物が乾きやすくなるからである。
【００２１】
（スライド手段）
スライド手段は、移動ユニット２２０をスライド移動自在にさせる手段であり、公知の手段を用いることができる。具体的なスライド手段の例として、移動ユニット２２０底部に設けたキャスター４１０と、前記移動ユニット２２０底部または側面のいずれか若しくは両方に設けた直線走行ガイド４２０とから構成され、前記直線走行ガイド４２０は、ガイドローラ４２２を備え、かつその先端がＴ字形状にする構造を挙げることができる。図４には、底面のキャスター４１０に加え、底面と側面の両方に直線走行ガイド４２０を設けた様態について示した。
【００２２】
図５は側面に設け、外部の壁８００に取り付けた直線走行ガイド４２０の断面図である。この様態においては外部の壁８００に、直線的に延びる溝状レール８２０を固定し、該レールに沿って移動ユニット２２０に取り付けた直線走行ガイド４２０のガイドローラ４２２が回転しながら動くことによって、スライド移動自在になる。溝状レール８２０は、その嵌入口８２２が狭くなっている。ガイドローラ４２２の直径は、該嵌入口８２２直径よりも大きい。すなわち、図５の様態では直線走行ガイド４２０の先端がガイドローラ４２２であって、かつその先端であるガイドローラ４２２がＴ字形状である。先端をＴ字形状とすることで、直線走行ガイド４２０が溝状レール８２０から外れてしまうことを防止する。
図６、図７は底面に設け、外部の路面８１０に取り付けた直線走行ガイド４２０の断面図である。図７は溝レールを路面に埋め込んだ様態である。これらの様態では、ガイドローラ４２２は嵌入口８２２で回転し、移動ユニット２２０がスライド移動する。本様態の直線走行ガイド４２０は、ガイドローラ４２２から先に先端が存在し、Ｔ字形状である。該Ｔ字形状が移動ユニット２２０の浮き上がりを防止する。
【００２３】
ただし、直線走行ガイド４２０は、必ずしも物干しボックス１００の側面と底面とに設けなければならないものではない。適当な外部の壁が存在しない場所に、本発明の物干しボックス１００を設置する場合、伸縮時や天候に対する物干しボックス１００の安定のため、スライド手段としては、図１５に示したように、路面に対し溝状レール８２０を二路線設け、それぞれのレールに直線走行ガイド４２０を設けることが好ましい。
なお、図１５で示した固定ユニット２１０と移動ユニット２２０の底部は、枠体のみで構成されている様態であるので、ガイドローラ４２２、キャスター４１０のほか、路面に埋め込んだ溝状レール８２０なども同時に表されている。
【００２４】
図１６は、図１４の様態における物干しボックスが収縮した状態のキャスター部分を示した斜視図である。本発明の物干しボックス１００では、移動ユニット２２０は、固定ユニット２１０の内側に、前記固定ユニット２１０と近い側の移動ユニット２２０から段々と内側へ重なりあって収納することができるものであるから、移動ユニット２２０が収納された状態では、該移動ユニット２２０に取り付けられたそれぞれのキャスター４１０も図１６に示したように、前記固定ユニット２１０と最も近い側の移動ユニット２２０に取り付けられたキャスターを最外側として、段々と内側に向かって並ぶことになる。
【００２５】
（ストッパー）
図１７は、図１４の様態における端移動ユニット２３０の一方のキャスター４１０部分を示した斜視図である。図１７では、物干しボックス１００を完全に伸ばした状態を示している。上述のとおり、物干しボックス１００を完全に伸ばした状態では、隣接するユニット同士はお互い係合し、それ以上の伸長に歯止めがかかるが、収縮する方向については勝手に動き出さないとも限らないので、念のために、ストッパーを設けることもできる。ストッパーの具体例としては、図１６に示したような、棒状ストッパー４４０と路面に設けたストッパー受け具の組み合わせを挙げることができる。棒状ストッパー４４０は、上下方向に摺動可能な状態で端移動ユニット２３０に固定されている。通常は棒状ストッパー４４０の最下部は、少なくとも路面よりも高い位置で維持されているが、棒状ストッパー４４０を回転させるなど簡易な操作によって、棒状ストッパー４４０の下部先端が路面よりも低い位置まで突き出すことができる構造が好ましい。この場合、路面には、所定の位置に前記ストッパー４４０の下部先端を受けるために、棒状ストッパー４４０の下部先端の形状に嵌合形状、或いは嵌合形状よりひとまわり太い穴を持つ、ストッパー受け具を埋め込むことが好ましい。
なお、前記ストッパー受け具は、物干しボックス１００を完全に伸ばした状態に相当する路面の位置のみに限らず、収縮させた状態、一部伸ばした状態など、いくつかの状態に相当する路面の位置に、適宜設けることもできる。
【００２６】
（固定手段）
固定手段は、移動ユニット２２０を移動させた場合でも、固定ユニット２１０が動かないようにするために、該固定ユニット２１０を外部の床面や壁面と固定する手段である。しっかり固定するためには、床面と壁面の両方に固定するか、或いは床面だけに固定する場合は、固定ユニットの四隅またはそれ以上の箇所で固定することが好ましい。固定手段としては、ボルトに、取付金具、ナットなどを適宜使用して固定する方法など公知の手段を用いることができる。図１３では、固定手段として、ボルトを用いて固定ユニット２１０を外部の壁８００に連結できる取付金具３００を用いた例を示した。
【００２７】
（物干し竿）
前記筐体２００内部には、伸縮自在な物干し竿５００を設ける。本発明で用いる物干し竿５００の様態の例を図８〜１０に示した。図８は、伸ばした状態の物干し竿５００を上から見た断面図である。図９は、伸ばした状態の物干し竿５００の一部を横からみた側面図である。図１０は、縮めた状態の物干し竿５００を横からみた側面図である。前記物干し竿５００は、移動ユニット２２０のスライド移動に連動して自身もスライド伸縮するものである。具体的な伸縮自在の物干し竿５００の例としては図１０に示したように、固定ユニット２１０側から先端に向かって段々と幅が細くなる複数の竿ユニットで構成され、各竿ユニットの一部が、前記固定ユニット２１０側隣の竿ユニットの内側に収納されることにより、前記物干し竿５００が短くなる物干し竿５００が挙げられる。なお図１０に示した点線は、その内部に隣接する竿ユニットの一部が収納されている様子を示している。
【００２８】
物干し竿５００は、固定ユニット２１０側の端またはその近傍で、連結具などによって固定ユニット２１０の遮蔽天井２０２、遮蔽壁２０４或いは底面と固定される。ただし物干し竿５００の一端だけ固定しても不安定なので、前記各竿ユニットの端部、すなわち一の竿ユニットから隣接する他のユニットに切り替わる部位に、竿保持具５０２によって、移動ユニット２２０の遮蔽天井２０２、遮蔽壁２０４或いは底面と固定される。ただし移動ユニット２２０の固定ユニット２１０側近傍は、筐体２００を縮めた際に固定ユニット２１０に重なって収納されてしまうので、移動ユニット２２０における竿保持具５０２の固定位置は、端移動ユニット２３０側の縁近傍とする必要がある。
このような竿保持具５０２は、同時に後述のフック保持具６００のスライド移動を竿ユニットの各端部間に制限する効果も有する。この効果により、フック保持具６００が、竿の太さが異なる部位を跨いでスライド移動することがなく、太さの切り替わる部位で引っ掛かってしまうという心配がない。
【００２９】
図１８〜２１では、上記とは別の様態の伸縮自在な物干し竿５００を設けた例である。図１８は、物干し竿５００の伸ばした状態を筐体２００の外側から示した斜視図である。図１９は、物干し竿５００を筐体２００の内部から示した斜視図である。図２０は、物干し竿５００を一部収縮させた状態を示す斜視図である。図２１は、物干し竿５００を完全に収縮させた状態を示す斜視図である。
【００３０】
本様態では、物干し竿５００が、前記固定ユニット２１０及び前記移動ユニット２２０のユニットごとに設けられた竿ユニット５０６で構成され、前記竿ユニット５０６は、端移動ユニット２３０側の端部に、その一端が該竿ユニット５０６に固定され、他端が前記各ユニットに固定された竿保持具５０２を具備する。これにより、各竿ユニットの端移動ユニット２３０側の端部が安定する。一方、竿ユニット５０６の固定ユニット２１０側の端部は、該固定ユニット側に隣接する竿ユニット５０６に取り付けられている竿保持具５０２に設けられた竿貫通穴５０４へ、その一部が貫通することにより、保持されている。竿貫通穴５０４の大きさは、竿ユニット５０６の太さよりもひとまわり大きな穴とすることで、竿貫通穴５０４で保持されている竿ユニット５０６の部分は、摺動自在で保持することができる。
物干しボックス１００が収縮する際には、竿ユニット５０６の固定ユニット２１０側の端部は、更に固定ユニット２１０側に位置する他の竿保持具５０２の竿貫通穴５０４を次々と貫通することで、物干し竿５００として伸縮自在にすることができる。
物干し竿５００の上記様態のような伸縮機構から、本様態では、各竿保持具５０２は、取り付らけれた移動ユニット２２０または固定ユニット２１０よりも、端移動ユニット２３０側に位置する前記竿ユニット５０６が、それぞれ貫通できる竿貫通穴５０４を、少なくとも、自身よりも端移動ユニット側２０３に位置する竿ユニット５０６の数だけ有している必要がある。例えば、端移動ユニット側から数えて、３番目に位置する移動ユニットに取り付けられた竿保持具の場合、自身の移動ユニットより、端移動ユニット側に存在するユニット数は２つなので、設けられる竿貫通穴も、少なくとも２つ必要である。
また、本発明の物干しボックス１００においては、移動ユニット２２０は隣接するユニットから一定距離以上離れることがないので、竿ユニット５０６の竿長さを該一定距離以上の長さにすることで、物干しボックス１００を伸長させた際に、固定ユニット２１０側で隣接する移動ユニット２２０の竿保持具５０２の竿貫通穴５０４から、該竿ユニット５０６が抜けてしまうことはない。
また、物干しボックス１００を伸長させた際、竿ユニット５０６は、固定ユニット２１０側に隣接する竿保持具５０２以外の竿保持具５０２の竿貫通穴５０４からは一旦抜けることになるが、本発明の物干しボックス１００においては、伸縮方向以外の方向には動かないように、直線走行ガイド４２０などのスライド手段を有しているので、物干しボックス１００を収縮させた際には、一旦抜けた前記竿貫通穴５０４を再び容易に貫通する。
なお、固定ユニット２１０に設けられた前記竿ユニット５０６は、更に固定ユニット２１０側に存在するユニットは存在しないので、固定ユニット２１０側の端部にも、その一端が該竿ユニット５０６に固定され、他端が固定ユニット２１０に固定された端部竿保持具を具備する。前記端部竿保持具には、移動ユニット２２０の数だけの竿貫通穴５０４を設けても良いが、物干しボックス１００が完全に収縮した際に、固定ユニット２１０に取り付けられた端移動ユニット２３０側の竿保持具５０２によって、各移動ユニット２２０に取り付けられた全竿ユニット５０６を支えることができるのであれば、前記端部竿保持具に竿貫通穴５０４を設けなくても良い。
【００３１】
（フック保持具）
フック保持具６００は、物干し竿５００が貫通できる竿用孔６０２、洗濯物取り付け機構６０４及び位置決め固定部位６０６を有する。フック保持具６００の具体的な様態例を図１１に示した。図１１（ａ）はフック保持具６００の正面図、図１１（ｂ）は、図１１（ａ）のＡ‐Ａ’断面図である。フック保持具６００は、前記竿用孔６０２によって、前記物干し竿５００に沿ってスライド移動自在に係合されている。一方、前記位置決め固定部位６０６で、後述の位置決め手段と係合されている。
【００３２】
竿用孔６０２は、上記物干し竿５００にフック保持具６００をスライド移動自在に係合させるための孔である。洗濯物取り付け機構６０４はピンチハンガー、洋服ハンガーなどを吊るすため、或いは直接洗濯物が干せるための機構である。
【００３３】
図１２の使用例では、洗濯物取り付け機構６０４は、ピンチハンガーや洋服ハンガーのフックを引っ掛けることのできる孔の様態であり、該孔に洋服ハンガーを吊るした状態を図示した。洗濯物取り付け機構６０４にピンチハンガーを吊るすとともに、一端にリングを取り付けた紐の他端を洗濯物取り付け機構６０４の孔に括りつけて該紐を垂らすと、前記リング部分に別のピンチハンガーを吊るして上下二段で使用することもでき、狭いスペースに多くの洗濯物を干すことができる。
一方、図１８に様態を示し、図２１に使用例を示したように、洗濯物取り付け機構６０４は、ピンチハンガーや洋服ハンガーのフックを引っ掛けることのできるＵ字型、Ｖ字型、Ｊ字型などのフックの様態とすることもできる。
その他、洗濯物取り付け機構６０４自体の形状をハンガー形状や複数のピンチが吊り下がった様態とすることもできる。
【００３４】
（位置決め手段）
位置決め手段は、各フック保持具６００を連結し、筐体２００を完全に伸ばした際にフック保持具６００を略均等位置に配置する手段である。位置決め手段を設けずに、筐体２００を伸ばすと、フック保持具６００が竿ユニットの端部から端部までの間において、ランダムに位置されるので、フック保持具６００から隣接するフック保持具６００までの幅が広い部位と狭い部位が生じてしまう。そこで、筐体２００を完全に伸ばした際には、フック保持具６００を均等の距離に位置させる位置決め手段が必要になる。
【００３５】
位置決め手段は、フック保持具６００の位置決め固定部位６０６に固定されることによって、フック保持具６００を均等間隔に配列するように誘導する。位置決め固定部位６０６での固定は、接着などの方法によるしっかりした固定のみならず、下記のようにある区間からある区間までは移行できるが、それ以上は動くことができないという、いわゆるアソビを有する固定であっても良い。
【００３６】
具体的な位置決め手段及び位置決め固定部位６０６としては、図１２に示したように、位置決め手段としてはロープに複数のボールが略等間隔で固定されているチェーン７００を用いるとともに、位置決め固定部位６０６としては、フック保持具６００に位置決め孔を設ける様態を例示できる。前記位置決め孔の大きさは、前記チェーン７００のロープ部分は通すが、ボール部分を通さない大きさとする。前記位置決め孔に前記チェーン７００を通すことによって、前記フック保持具６００は、ボールとボールの間に限って移動自在にできる。上記のようなフック保持具６００の整列手段は、ボールからボールまでの間はいわゆるアソビとなる固定方法であり、各フック保持具６００間距離の均等性に関し、最大でボールとボールの間の距離の２倍の長さ分だけ、均等性が失われることになる場合が生じうる。しかし、物干しボックス１００の伸縮を繰り返した場合の耐久性を考えると、ある程度の余裕を持たせたほうが好ましく、一方、前記アソビ程度の均等性が失われても、使用には全く問題がないので、本発明にいう略均等が保たれている。
【００３７】
或いは位置決め手段として、前記ボールを固定したチェーンに代えて、単純に複数のゴム７１０を用いることもできる。この場合、フック保持具６００の位置決め固定部位６０６では、前記ゴムを結びつける、或いは接着するなどの方法で固定する。
フック保持具６００間距離の均等性を確保するため、ゴム７１０の材料として、同じ種類、同じ長さであって、単位長さあたりの反発力を同じくするものを用いることが好ましい。またゴムの耐久性、耐候性を確保するため、ゴムの種類としては、織物で覆われている平ゴムなど、日光による劣化の進行度合いが少ないものが好ましい。
一の前記フック保持具６００の位置決め固定部位６０６から、前記一のフック保持具に隣接するフック保持具の位置決め固定部位までを、位置決め手段である前記ゴム７１０によってそれぞれ連結することによって、前記移動ユニット２２０が伸張する方向にスライドする際に、前記フック保持具６００は、前記ゴム７１０の反発力を受けながら前記物干し竿に沿ってスライド移動することになるので、隣接するフック保持具６００までの距離は、自動的にほぼ均等になる。
【００３８】
（取り付け例）
図１３には、本発明である物干しボックス１００の取り付け使用例を示した。図１３のように本発明の物干しボックス１００は、１ｍ以上の高さを有するしっかりとした外部の壁８００が存在する場所に取り付けることが好ましい。
【００３９】
或いは、そのようにしっかりした外部の壁が存在しない場合には、図１４の様態のように床面に、直線走行ガイド４２０を２本、或いはそれ以上設けることが好ましい。図２２には、そのような様態における本発明の物干しボックスを使用している様子を示した。
【産業上の利用可能性】
【００４０】
本発明の物干しボックスは、全天候型の物干しスペースを提供できるボックスとして産業上利用できる。
【図面の簡単な説明】
【００４１】
【図１】本発明の物干しボックスを伸ばした状態を示す斜視図である。
【図２】本発明の物干しボックスを縮めた状態の伸縮方向側面図である。
【図３】固定ユニットの奥行き方向側面図である。
【図４】端移動ユニットの奥行き方向側面図である。
【図５】外部の壁に取り付ける直線走行ガイドの断面図である。
【図６】外部の路面に取り付ける直線走行ガイドの断面図である。
【図７】図６とは別の様態の直線走行ガイドの断面図である。
【図８】伸ばした状態の物干し竿を上から見た断面図である。
【図９】伸ばした状態の物干し竿の一部を横からみた側面図である。
【図１０】縮めた状態の物干し竿を横からみた側面図である。
【図１１】フック保持具を表した図である。              （ａ）正面図    （ｂ）図１１（ａ）のＡ‐Ａ’断面図である。
【図１２】フック保持具の使用状態を示した図である。
【図１３】本発明の物干しボックスの取り付け使用例を示した図である。
【図１４】図４とは別の様態の端移動ユニットの奥行き方向側面図である。
【図１５】図１４の様態の筐体底部を示した斜視図である。
【図１６】図１４の様態における物干しボックスが収縮した状態のキャスター部分を示した斜視図である。
【図１７】図１４の様態における端移動ユニットの一方のキャスター部分を示した斜視図である。
【図１８】図８とは別の様態の物干し竿の伸ばした状態を筐体の外側から示した斜視図である。
【図１９】図１８の物干し竿を筐体内部から示した斜視図である。
【図２０】図１９の物干し竿を一部収縮させた状態を示す斜視図である。
【図２１】図１９の物干し竿を完全に収縮させた状態を示す斜視図である。
【図２２】本発明の物干しボックスの図１４の様態における使用状態を示すイメージ図である。
【符号の説明】
【００４２】
１００                      物干しボックス
２００                      筐体
２０２                      遮蔽天井
２０４                      遮蔽壁
２１０                      固定ユニット
２２０                      移動ユニット
２３０                      端移動ユニット
２１２，２３２              側面遮断壁
２１４，２３４              通風孔
２３６                      押し引きハンドル
２３８                      取っ手
３００                      取付金具（固定手段）
４１０                      キャスター（スライド手段）
４２０                      直線走行ガイド（スライド手段）
４２２                      ガイドローラ（スライド手段）
４４０                      棒状ストッパー
５００                      物干し竿
５０２                      竿保持具
５０４                      竿貫通穴
５０６                      竿ユニット
６００                      フック保持具
６０２                      竿用孔
６０４                      洗濯物取り付け機構
６０６                      位置決め固定部位
７００                      チェーン（位置決め手段）
７０２                      ロープ
７０４                      ボール
７１０                      ゴム（位置決め手段）
８００                      外部の壁
８１０                      外部の路面
８２０                      溝状レール
８２２                      嵌入口
【図１】
2008110230.tif 000003
【図２】
2008110230.tif 000004
【図３】
2008110230.tif 000005
【図４】
2008110230.tif 000006
【図５】
2008110230.tif 000007
【図６】
2008110230.tif 000008
【図７】
2008110230.tif 000009
【図８】
2008110230.tif 000010
【図９】
2008110230.tif 000011
【図１０】
2008110230.tif 000012
【図１１】
2008110230.tif 000013
【図１２】
2008110230.tif 000014
【図１３】
2008110230.tif 000015
【図１４】
2008110230.tif 000016
【図１５】
2008110230.tif 000017
【図１６】
2008110230.tif 000018
【図１７】
2008110230.tif 000019
【図１８】
2008110230.tif 000020
【図１９】
2008110230.tif 000021
【図２０】
2008110230.tif 000022
【図２１】
2008110230.tif 000023
【図２２】
2008110230.tif 000024